(57)【要約】【課題】容器を開封することなくペットフードを温める保温庫において簡単な保温構造を提供する。【解決手段】ペットフード用保温庫１は、上面が開口してペットフードを収容する保温室１０を形成し、側壁２３の外面にヒーター９０が取り付けられた内容器２０と、前記内容器２０の側壁２３を囲んで配置される側面カバー６０と、前記内容器２０の下方に配置される底部カバー７０と、前記底部カバー７０の底板７１に一体に立設され、前記内容器２０の側壁２３と側面カバー６０との間に挿入されて、側壁２３に取り付けられたヒーター９０を覆ってヒーター室１００を形成するとともに、前記側面カバー６０との間に断熱室１０１を形成する内壁８１，８３とを有する。【選択図】図３Ａ
2016182260.tif 000002
【特許請求の範囲】
【請求項１】
上面が開口してペットフードを収容する保温室を形成し、側壁の外面にヒーターが取り付けられた内容器と、
前記内容器の側壁を囲んで配置される側面カバーと、
前記内容器の下方に配置される底部カバーと、
前記底部カバーの底板に一体に立設され、前記内容器の側壁と側面カバーとの間に挿入されて、側壁に取り付けられたヒーターを覆ってヒーター室を形成するとともに、前記側面カバーとの間に断熱室を形成する内壁とを有することを特徴とするペットフード用保温庫。
【請求項２】
前記断熱室にヒーターを制御する制御基板が配置されている請求項１に記載のペットフード用保温庫。
【請求項３】
前記内容器と側面カバーとが別部材である請求項１または２に記載のペットフード用保温庫。
【請求項４】
前記内容器は下方に突出する支持脚を有し、この支持脚を受ける脚受が底部カバーに設けられ、前記支持脚を脚受に係合させることにより、内容器と底部カバーとが結合されている請求項１〜３のうちのいずれか１項に記載のペットフード用保温庫。
【発明の詳細な説明】
【技術分野】
【０００１】
本発明は包装されたペットフードをペットが好む温度に保温する保温庫に関する。
【背景技術】
【０００２】
ペットフードはレトルトパウチ、金属缶、ホイルコンテナ等の容器に封入されたものが市販されている。これらのペットフードは常温で与えることができるが、温めた方が食いつきが良くなることが知られている。
【０００３】
ペットフードを温める方法としては、容器を開封して加熱用容器に移して電子レンジで温める方法が一般的である。
【０００４】
また、人用レトルトパウチ食品の加熱装置として、レトルトパウチ食品を２枚の熱板で挟み付けて加熱する装置が知られている（特許文献１参照）。
【先行技術文献】
【特許文献】
【０００５】
【特許文献１】実開平６−７９４３０号公報
【発明の概要】
【発明が解決しようとする課題】
【０００６】
ペットが好むフード温度は約３９℃であり、人の食物の適温よりも低温である。電子レンジによるマイクロ波加熱はペットフードの適温よりも高温になりがちであり、マイクロ波加熱によって適温に温めることは難しい。しかも、缶詰やホイルコンテナは金属であり、パウチ用包装材はアルミニウム箔を含むラミネート材であるから、これらの容器に封入されたペットフードを電子レンジで加熱するには容器を開封してレンジ用容器に移し替える必要があり、大変面倒である。
【０００７】
特許文献１に記載された加熱装置はレトルトパウチ食品を開封することなく加熱できるが、熱板を動かすという複雑な構造である。
【課題を解決するための手段】
【０００８】
本発明は上述した技術背景に鑑み、容器を開封することなくペットフードを温める保温庫において簡単な保温構造を提供することを目的とする。
【０００９】
即ち、本発明のペットフード用保温庫は下記［１］〜［４］に記載の構成を有する。
【００１０】
[１]上面が開口してペットフードを収容する保温室を形成し、側壁の外面にヒーターが取り付けられた内容器と、
前記内容器の側壁を囲んで配置される側面カバーと、
前記内容器の下方に配置される底部カバーと、
前記底部カバーの底板に一体に立設され、前記内容器の側壁と側面カバーとの間に挿入されて、側壁に取り付けられたヒーターを覆ってヒーター室を形成するとともに、前記側面カバーとの間に断熱室を形成する内壁とを有することを特徴とするペットフード用保温庫。
【００１１】
[２]前記断熱室にヒーターを制御する制御基板が配置されている前項１に記載のペットフード用保温庫。
【００１２】
[３]前記内容器と側面カバーとが別部材である前項１または２に記載のペットフード用保温庫。
【００１３】
[４]前記内容器は下方に突出する支持脚を有し、この支持脚を受ける脚受が底部カバーに設けられ、前記支持脚を脚受に係合させることにより、内容器と底部カバーとが結合されている前項１〜３のうちのいずれか１項に記載のペットフード用保温庫。
【発明の効果】
【００１４】
上記［１］に記載のペットフード用保温庫によれば、保温室を温めるヒーターが内壁に覆われて熱の放散が防がれるので、ヒーターが発する熱が効率良く保温室の加熱に用いられる。また、前記保温室は内壁と側面カバーとの間に形成される断熱室によって外気から遮断されているので保温性が良い。さらに、前記内壁は底部ケースと一体であるから部品点数が少なく、構造が簡単で組み立ても容易である。
【００１５】
上記［２］に記載のペットフード用保温庫によれば、制御基板がヒーター室とは内壁で仕切られた断熱室に配置されているのでヒーターによる熱影響を受けない。
【００１６】
上記［３］に記載のペットフード保温庫によれば、内容器と側面カバーとが別体であるから、ヒーターの取り付け作業が容易である。
【００１７】
上記［４］に記載のペットフード保温庫によれば、内容器の支持脚を底部カバーの脚受に係合させることで両者は位置決めされて結合されるので、内容器と底部カバーとを容易に組み立てることができる。
【図面の簡単な説明】
【００１８】
【図１】本発明の一実施形態にかかるペットフード用保温庫の全体斜視図である。
【図２】図１のペットフード保温庫の分解斜視図である。
【図３Ａ】図１の３Ａ−３Ａ線断面図である。
【図３Ｂ】図１の３Ｂ−３Ｂ線断面図である。
【図４Ａ】大仕切り板の斜視図である。
【図４Ｂ】小仕切り板の斜視図である。
【図５】内容器の底面図である。
【図６】図１のペットフード保温庫の組み立て状態を示す斜視図である。
【発明を実施するための形態】
【００１９】
図１〜７に本発明の一実施形態にかかるペットフード用保温庫を示す。
【００２０】
ペットフード用保温庫１は、包装されたペットフードを収容する保温室１０を形成する内容器２０、保温室１０を複数室に仕切る仕切り板５０、５４、保温室１０を加熱するヒーター９０、側面カバー６０、底部カバー７０およびこれらに付設された部材によって構成されている。また、前記内容器２０、仕切り板５０、５４、側面カバー６０、底部カバー７０は樹脂成形品である。
［ペットフード用保温庫を構成する部材］
図１〜図３Ｂに示すように、保温室１０は、長方形の底板２１とこの底板２１から立ち上がる短辺用壁２２および長辺側壁２３とを有し上面が開口する有底の内容器２０と、この内容器２０の上面開口部を閉塞する蓋板４０とにより囲まれた空間である。なお、図１は蓋板４０を開いた状態を示しているが、図１の断面図である図３Ａおよび図３Ｂは蓋板４０を閉じた状態を示している。
【００２１】
前記内容器２０の開口縁には、開口縁から続く平坦部３１とこの平坦部３１の外縁から垂下する垂下部３２で構成される断面逆Ｌ字形のフランジ３０が形成されている。前記垂下部３２の下端部は板厚方向の外側が減肉されて突縁３３を形成している。前記フランジ３０の一方の長辺および一方の短辺のそれぞれに、レール３５ａとこのレール３５ａ上を移動するスライダー３５ｂらなるインジゲータ３５が設けられている。また、前記内容器２０の底板２１の裏面の四隅に円筒形の雌ねじとなされた支持脚２４が突設されている。
【００２２】
前記蓋板４０はフランジ３０の一方の短辺に回動自在に取り付けられ、対向する短辺に蓋板４０のフック４１に係合する係止部３４が形成されている。
【００２３】
前記フランジ３０の垂下部３２は、後述する側面カバー６０および底部カバー７０とともに保温庫１のハウジングを構成する。
【００２４】
図４Ａおよび図４Ｂに示すように、前記仕切り板５０、５３は本体板５１、５４の下端から板厚方向の両側に突出する鍔板５２、５５を有する逆Ｔ字形である。一方、図３Ａおよび図３Ｂに示すように、前記内容器２０の側壁２２、２３には仕切り板５０、５３の本体板５１、５４の両端を差し込むガイドレール２５が設けられている。図示例の保温庫１は、保温室１０の長辺に平行に取り付ける２個の大仕切り板５０と短辺に平行に取り付ける１個の小仕切り板５３とを備え、短辺側壁２２に２組のガイドレール２５が設けられ、長辺側壁２３に１組のガイドレール２５が設けられている。前記仕切り板５０，５３は着脱自在であり、図３Ａは２個の大仕切り板５０を取り付けて細長い３室に仕切った状態を例示している。
【００２５】
図２〜図３Ｂに示すように、側面カバー６０は、下方に向かって断面積が拡大された周体であり、上端部に前記内容器２０のフランジ３０の突縁３３が係合する溝６１が形成され、下端部に板厚方向の外側が減肉されて突縁６２が形成されている。
【００２６】
図２〜図３Ｂに示すように、底部カバー７０はトレイ型であり、底板７１からカーブしながら立ち上がる側壁７２の上端部に、前記側面カバー６０の突縁６２に係合する溝７３が形成されている。また、前記底板７１の中央部に四角形の内壁体８０が立設されている。前記内壁体８０の２組の対向する第１側壁８１，第２側壁８３のうち、底板７１の短辺に平行な第１側壁８１は内容器２０の底板２１および長辺側壁２３に沿う大きなＵ字形の切欠部８２を有している。前記第１側壁８１および第２側壁８３は本発明の内壁に対応する。前記内壁体８０の底板８４は底部カバー７０の底板７１の一部がせり上がることにより形成されている。また、前記内壁体８０外の第１側壁８１の傍らに、内容器２０の支持脚２４を受ける脚受７４が立設されている。この脚受７４の中心にはポルト７６を通すための貫通孔７５が穿たれている。前記脚受７４は２つの第１側壁８１の傍らに各２個、合計４個が設けられている。
【００２７】
図２および図５に示すように、ヒーター９０は柔軟性のあるラインヒーターである。前記ヒーター９０はつづら折れにしてシート９４に貼り付け、前記シート９４を内容器２０の底板２１の裏面から両側の長辺側壁２３に貼付することにより、底板２１および長辺側壁２３に取り付けられている。前記ヒーター９０が底板２１および長辺側壁２３を加熱して保温室１０に放熱し、さらに底板２１から仕切り板５０、５３に伝熱して本体板５１、５４が放熱板として機能して保温室１０を温める。しかも、前記仕切り板５０、５３は鍔板５２、５５によって広い面積で底板２１と接触しているので伝熱効率が良く、高い温度保持効果が得られる。
【００２８】
図５に示すように、温度センサとして、サーミスタ９１およびサーモスタット９２が、ヒーター９０と同様に、前記シート９４に貼り付けた上で内容器２０の底板２１の裏面に取り付けられている。前記サーミスタ９１およびサーモスタット９２は、ヒーター９０によって加熱された底板２１の温度を検知し、検知された温度に基づいて保温室１０内の温度が所定の温度範囲内となるようにヒーター９０が制御される。前記サーミスタ９１は高精度の温度検知が可能であり正確な温度管理が可能である。一方、サーモスタット９２は温度上昇時にヒーター９０への通電を遮断する。このように特性の異なる２種類の温度センサを併用することにより、正確な温度管理と高い安全性を実現できる。
【００２９】
前記ヒーター９０、サーミスタ９１およびサーモスタット９２は、図３Ｂに参照されるように制御基板９３に接続されている。
【００３０】
なお、前記ヒーター９０および温度センサを内容器２０への取り付け方法はシート９４を介して貼り付ける方法に限定されず、内容器２０に直接取り付けても良い。シート９４を用いると、フラットなシート９４上でヒーター９０および温度センサの貼付作業を行え、かつ内容器２０の支持脚２４が作業の邪魔をすることがないので作業性が良く、立体である内容器２０への取り付けはシート９４の貼付という簡単な作業で済む。
【００３１】
ペットフードの適温は３８〜４２℃であり、上述したペットフード用保温庫１はヒーター、サーミスタ９１およびサーモスタット９２により保温室１０に収容したペットフードを前記範囲の温度に温めるように制御されている。
［ペットフード用保温庫の組み立て］
上述した各構成部材は以下のようにして組み立てられる。
【００３２】
先ず、底部カバー７０の側壁７２の溝７３に側面カバー６０の突縁６２を差し込む。次に、図６に示すように、内壁体８０の切欠部８２に内容器２０を嵌め込み、内容器２０の支持脚２４を底部カバー７０の脚受７４に差し込むとともに、側面カバー６０上端の溝６１に内容器のフランジ３０の突縁３３を差し込み、内容器２０を底部カバー７０の脚受７４および内壁体８０の第１側壁８１に支持させる。また、前記ヒーター９０、サーミスタ９１およびサーモスタット９２と制御基板９３とを繋ぐコードは一方の切欠部８２に設けられた逃がし部８２ａ（図２参照）から内壁体８０の外に引き出しておく。さらに、図３Ｂに示すように、底部カバー７０の外面側から脚受７４の貫通孔７５もボルト７６を挿入して内容器２０の支持脚（雌ねじ）７４に螺合させる。これにより、内容器２０と底部カバー７０とで側面カバー６０を挟み付ける態様でこれらが一体に結合される。
【００３３】
上記の組み立て状態において、内壁体８０の切欠部８２に内容器２０が嵌め込まれ、第１側壁８１および第２側壁８３が内容器２０と側面カバー６０との間に差し込まれている。前記切欠部８２は第１側壁８１の大部分の面積を占めているが、切欠部８２の左右両側と下方に欠き残った部分がスペーサとなって内壁体８０と内容器２０の底板２１および長辺側壁２３との間に断面Ｕ字形の空間１００を形成する。前記内壁体８０が内容器２０の底板２１および長辺側壁２３に取り付けられたヒーター９０を覆い、前記空間１００がヒーター室となる。前記内容器２０の長辺側壁２３に取り付けられているヒーター９０は第１側壁８１および第２側壁８３で覆われ、底板２１に取り付けられているヒーター９０は底部カバー７０の底板７１でもある内壁体８０の底板８４に覆われているので、内容器２０の外方への底板２１からの熱の放散が防がれて、ヒーター９０が発する熱は効率良く保温室１０の加熱に用いられる。
【００３４】
また、前記内容器２０のフランジ３０の垂下部３２、側面カバー６０、底部カバー７０が保温庫１のハウジングを形成し、ハウジングと内容器２０の短辺側壁２２および内壁体８０との間に空間１０１が形成され、この空間１０１はヒーター室１００とは内壁体８０で仕切られた断熱室として機能する。前記断熱室１０１は保温室１０を庫外の空気から遮断して室内温度を保持するとともに、制御基板９３の取り付け場所として用いられる。前記断熱室１０１はヒーター室１００と内壁体８０で仕切られているので室内温度の上昇は殆ど無く、制御基板９３はヒーター９０による熱影響を受けない。
【００３５】
前記ペットフード保温庫１は前記第１側壁８１および第２側壁８３底部ケースと一体であるから部品点数が少なく、構造が簡単で組み立ても容易である。簡単な構造と組み立てにより、上述した優れた保温性を有する保温室１０を実現できる。また、前記内容器の支持脚２４を底部カバー７０の脚受７４に係合させることで両者は容易に位置決めされ、さらにボルト７３等の締結部材を用いることにより容易に結合させることができる。
【００３６】
また、本発明において前記側面カバー６０は内容器２０と別体であることは必須要件ではなく、内容器と側面カバーとが一体物である場合も本発明に含まれる。図示例のように前記側面カバー６０を内容器２０とは別体で形成すれば、内容器２０の側壁２２、２３の周囲に遮蔽物が無いのでヒーター９０の取り付け作業を容易に行える。また、内容器および底部カバーとの組み立ては、内容器と底部カバーとで側面カバーを挟み付けることで容易に組み立てることができる。
【００３７】
なお、図示例のペットフード用保温庫１は内容器２０の４つの側壁２２、２３のうちの２つの側壁２３にヒーター９０を取り付けているが、ヒーター９０を取り付ける側壁の数は限定されない。少なくとも１つの側壁にヒーター９０が取り付けられ、その側壁に内壁によるヒーター室が形成されていれば本発明の技術的範囲に含まれる。例えば、前記ペットフード用保温庫１において、４つの側壁２２、２３の全てにヒーターを取り付け、長辺側壁２３を左右に延長し第１側壁８１で短辺側壁２２を覆えば周方向の全域にヒーター室を形成することができる。このとき、底部カバー７０の脚受７４は内壁体８０の内部となり、内容器２０の支持脚２４は内壁体８０内で支持される。
【産業上の利用可能性】
【００３８】
本発明はペットフードを開封することなく温める保温庫として利用できる。
【符号の説明】
【００３９】
１…ペットフード用保温庫
１０…保温室
２０…内容器
２１…底板
２４…支持脚
２５…ガイドレール
３０…フランジ
４０…蓋板
５０…大仕切り板
５３…小仕切り板
６０…側面カバー
７０…底部カバー
７４…脚受
８０…内壁体
８１…第１側壁
８２…切欠部
８３…第２側壁
９０…ヒーター
９１…サーミスタ
９２…サーモスタット
９３…制御基板
１００…ヒーター室
１０１…断熱室
Ｐ…ペットフード
【図１】
2016182260.tif 000003
【図２】
2016182260.tif 000004
【図３Ａ】
2016182260.tif 000005
【図３Ｂ】
2016182260.tif 000006
【図４Ａ】
2016182260.tif 000007
【図４Ｂ】
2016182260.tif 000008
【図５】
2016182260.tif 000009
【図６】
2016182260.tif 000010